(57)【要約】【課題】転写ユニットが移動しても、転写ユニットから除去した付着物を漏れなく付着物の排出先に排出することができる転写ユニット及び画像形成装置を提供することを目的とする。【解決手段】二次転写ユニット３は、二次転写ベルト３１、清掃部材３５及び廃トナー副搬送路６を有する。廃トナー副搬送路６には清掃部材３５によって除去された二次転写ベルト３１から付着物が所定の搬送方向Ｘに沿って搬送される。廃トナー副搬送路６は、二次転写ベルト３１の表面に対向配置された第１廃トナー副搬送路６１及び第１廃トナー副搬送路６１の搬送方向Ｘの下流側の端部に接続された第２廃トナー副搬送路６２を備える。内部には、第１搬送部材６５及び第１搬送部材６５の搬送方向Ｘの下流側に接続された第２搬送部材６６を有する螺旋状の搬送部材６４が回転自在に配設される。第２搬送部材６６は可撓性を有する第２廃トナー副搬送路６２の変形に応じて変形自在である。【選択図】  図３
2013148688.tif 000002
【特許請求の範囲】
【請求項１】
互いに離間した第１位置と第２位置との間を移動自在な転写ユニットであって、
用紙にトナー像を転写する転写体と、
前記転写体の表面から付着物を除去する清掃部材と、
前記清掃部材によって除去された付着物が所定の搬送方向に搬送される廃トナー搬送路であって、前記転写体の表面に対向して直線上に固定して配設された第１廃トナー搬送路、及び前記搬送方向における前記第１廃トナー搬送路の下流側の端部に接続された第２廃トナー搬送路を含む廃トナー搬送路と、
前記廃トナー搬送路の内部に前記直線に平行な回転軸まわりに回転自在に配設され、前記付着物を搬送する螺旋状の搬送部材であって、第１搬送部材、及び前記搬送方向における上流側の端部が前記第１搬送部材の下流側の端部に接続された第２搬送部材を含む搬送部材と、を備え、
前記第２廃トナー搬送路は、可撓性を有し、
前記第２搬送部材は、前記第２廃トナー搬送路の変形に応じて変形自在である転写ユニット。
【請求項２】
前記第１搬送部材は、前記第２搬送部材の変形に関わらず、軸線方向が前記直線に平行な状態を維持する請求項１に記載の転写ユニット。
【請求項３】
前記第１搬送部材は、軸体と前記軸体の周囲に設けられた螺旋羽とを有するスクリューであり、
前記第２搬送部材は、螺旋状の線材である請求項１又は請求項２に記載の転写ユニット。
【請求項４】
装置本体と、
前記装置本体の内部を開放する開閉自在な扉と、
像担持ユニットと、
請求項１〜請求項３の何れかに記載の転写ユニットと、
前記付着物を貯留する廃トナーボックスと、を備え、
前記像担持ユニット、及び前記廃トナーボックスは、前記装置本体の内部に配設され、
前記転写ユニットは、前記扉に配設され、前記扉の閉鎖時に前記第１位置に位置し、前記扉の開放時に前記第２位置に位置し、
前記第２廃トナー搬送路は、前記廃トナーボックスに直接的又は間接的に接続された画像形成装置。
【請求項５】
前記扉に対して浮動状態で前記転写ユニットを支持する支持部材をさらに備える請求項４に記載の画像形成装置。
【発明の詳細な説明】
【技術分野】
【０００１】
この発明は、用紙へトナー像を転写する転写体の表面に残ったトナーや付着した紙粉を清掃部材によって除去して、除去したトナーや紙粉を廃トナーボックスへ排出する転写ユニット、及びこの転写ユニットを備える画像形成装置に関する。
【背景技術】
【０００２】
電子写真方式の画像形成装置には、用紙搬送路上を搬送されている用紙に像担持体の表面のトナー像を転写体によって転写して、用紙へのトナー像の転写後に像担持体の表面に残るトナーを除去して廃トナーボックスへ排出するものがある（例えば、特許文献１参照。）。
【０００３】
像担持体の表面のトナーは、除去される前に、像担持体の表面から転写体の表面に移動して付着することがある。また、転写体は、用紙に接触するため、表面に紙粉が付着する。転写体の表面に付着したトナーや紙粉は、次の用紙へのトナー像の転写時に、用紙に付着して、汚れや転写不良の原因となる。このため、用紙へのトナー像の転写後に、転写体の表面に付着したトナーや紙粉を除去する必要がある。
【０００４】
そこで、転写ユニットには、転写体の他に、清掃部材及び廃トナー搬送路を備えるものがある。清掃部材は、転写体の表面に当接して配置され、転写体の表面に付着したトナーや紙粉を除去する。廃トナー搬送路は、転写体の表面に対向して配置され、除去したトナーや紙粉を廃トナーボックスへ排出する。
【０００５】
転写ユニットに個別の廃トナーボックスを備えると、廃トナーボックスを配設するためのスペースが必要になり、廃トナーボックスの取り換え作業も発生する。廃トナーボックスを配設するためのスペースを削減して、廃トナーボックスの取り換え時のメンテナンス効率を向上させるためには、像担持体及び転写体のそれぞれの表面から除去したトナーや紙粉を装置内部に配設された単一の廃トナーボックスへ排出する必要がある。
【０００６】
ここで、用紙は、像担持体と転写体との間を通過する時に、ジャムを生じることがある。ジャム処理を容易化するために、像担持体を配設する装置内部を開放する扉に転写ユニットを配設し、扉の開放に伴って、転写体を像担持体から離間させるものがある。
【先行技術文献】
【特許文献】
【０００７】
【特許文献１】特開２００１−３５６６５８号公報
【発明の概要】
【発明が解決しようとする課題】
【０００８】
しかしながら、扉の開閉に伴って転写ユニットが移動すると、転写ユニット内の廃トナー搬送路と装置本体内の廃トナーボックスとの相対的な配置関係が変化する。このため、扉の開放時に、廃トナー搬送路と廃トナーボックスとの接続が外れ、トナーや紙粉が漏出する可能性がある。
【０００９】
この発明の目的は、転写体ユニットを移動させても、トナーや紙粉を漏れなく廃トナーボックスに排出することができる転写ユニット、及び画像形成装置を提供することである。
【課題を解決するための手段】
【００１０】
この発明の転写ユニットは、互いに離間した第１位置と第２位置との間を移動自在であり、転写体、清掃部材、廃トナー搬送路、及び搬送部材を備える。転写体は、用紙にトナー像を転写する。清掃部材は、転写体の表面から付着物を除去する。廃トナー搬送路は、清掃部材によって除去された付着物が所定の搬送方向に搬送される。廃トナー搬送路は、転写体の表面に対向して直線上に固定して配設された第１廃トナー搬送路、及び搬送方向における第１廃トナー搬送路の下流側の端部に接続された第２廃トナー搬送路を含む。搬送部材は、廃トナー搬送路の内部に直線に平行な回転軸まわりに回転自在に配設され、付着物を搬送する螺旋状の搬送部材である。搬送部材は、第１搬送部材、及び搬送方向における第１搬送部材の下流側の端部に接続された第２搬送部材を含む。第２廃トナー搬送路は、可撓性を有する。第２搬送部材は、第２廃トナー搬送路の変形に応じて変形自在である。
【００１１】
この構成では、第１位置と第２位置との間における転写ユニットの移動に伴って、転写ユニット内の廃トナー搬送路が一体的に移動する。廃トナー搬送路が移動した際に、第２廃トナー搬送路を変形させることで、廃トナー搬送路を付着物の排出先の接続箇所から外れることがない。さらに、第２廃トナー搬送路の変形に伴って第２搬送部材が変形して、第２搬送部材によって付着物を搬送する。
【００１２】
この構成において、第１搬送部材は、第２搬送部材の変形に関わらず、軸線方向が直線に平行な状態を維持する構成であることが好ましい。第１搬送部材は、第２搬送部材が変形しても、変形しないため、転写体の表面に沿って対向配置される第１廃トナー搬送路内の付着物を確実に搬送することができる。
【００１３】
また、第１搬送部材は、軸体と前記軸体の周囲に設けられた螺旋羽とを有するスクリューであり、第２搬送部材は、螺旋状の線材であることが好ましい。搬送部材は、スクリューと螺旋状の線材とを接続するだけの簡素な構成となり、容易に生産することができる。
【００１４】
この発明の画像形成装置は、装置本体、扉、像担持ユニット、上述の転写ユニット、及び廃トナーボックスを備える。扉は、装置本体の内部を開放する開閉自在である。廃トナーボックスは、付着物を貯留する。像担持ユニット、及び廃トナーボックスは、装置本体の内部に配設される。転写ユニットは、扉に配設され、扉の閉鎖時に第１位置に位置し、扉の開放時に第２位置に位置する。第２廃トナー搬送路は、廃トナーボックスに直接的又は間接的に接続される。
【００１５】
この構成では、扉の閉鎖に伴って転写ユニットが第１位置又は第２位置に移動するため、転写ユニットが有する転写体のニップ位置を開放することができ、ジャム処理を容易に行うことができる。
【００１６】
この構成において、扉に対して浮動状態で転写ユニットを支持する支持部材をさらに備えることが好ましい。装置本体への扉の取り付け誤差を吸収することができ、転写ユニットを第１位置及び第２位置に正確に位置決めすることができる。また、設置箇所における振動や騒音等の影響を受けて扉が振動しても、扉の振動の影響を受けることなく、転写ユニットを第１位置及び第２位置に正確に位置決めすることができる。
【発明の効果】
【００１７】
この発明の転写ユニット及び画像形成装置は、転写ユニットが移動しても、転写ユニットから除去した付着物を漏れなく付着物の排出先に排出することができる。
【図面の簡単な説明】
【００１８】
【図１】この発明の第１の実施形態に係る画像形成装置の一部の概略の正面断面図である。
【図２】同画像形成装置が有する転写ユニットの斜視図である。
【図３】同転写ユニットが有する廃トナー副搬送路の断面図である。
【図４】（Ａ）は同画像形成装置の扉の開放時、（Ｂ）扉の閉鎖時の転写ユニットの近傍の模式図である。
【図５】第２の実施形態に係る廃トナー副搬送路の断面図である。
【図６】第３の実施形態に係る廃トナー副搬送路の断面図である。
【発明を実施するための形態】
【００１９】
図１に示すように、この発明の第１の実施形態に係る二次転写ユニット３が適用される画像形成装置１００は、一例として、図示しない外部装置から入力される画像データに基づいて、用紙に電子写真方式による多色又は単色の画像形成処理を行う。このため、画像形成装置１００は、画像形成ユニット１、中間転写ユニット（この発明の像担持ユニットに相当する。）２、二次転写ユニット（この発明の転写ユニットに相当する。）３、定着部４、及び用紙搬送路Ｓを備えている。装置本体には、画像形成ユニット１、中間転写ユニット２、定着部４、及び用紙搬送路Ｓが配設され、装置本体の内部を開放する開閉自在な扉８（図４参照）には、二次転写ユニット３が配設される。
【００２０】
画像形成ユニット１は、画像データに基づく画像光を露光ユニット１１から照射して感光体ドラム１２Ａ〜１２Ｄの表面にトナー像を形成する。
【００２１】
中間転写ユニット２は、中間転写ベルト（この発明の像担持体に相当する。）２１、駆動ローラ２２、従動ローラ２３、清掃部材２４、廃トナー副搬送路２５を有する。中間転写ベルト２１は、駆動ローラ２２及び従動ローラ２３に張架され、感光体ドラム１２Ｄ、１２Ｃ、１２Ｂ、１２Ａをこの順に通過する循環経路にそって移動する。中間転写ベルト２１の表面には、この移動に伴って、感光体ドラム１２Ａ〜１２Ｄの表面に形成されたトナー像が一次転写される。清掃部材２４は、一端部が中間転写ベルト２１の表面に当接するように配設されており、廃トナー副搬送路２５は、従動ローラ２３の軸方向に平行で且つ中間転写ベルト２１の表面に対向するように配設されている。
【００２２】
二次転写ユニット３は、二次転写ベルト（この発明の転写体に相当する。）３１、二次転写ローラ３２、駆動ローラ３３、従動ローラ３４、清掃部材３５及び廃トナー副搬送路（この発明の廃トナー搬送路に相当する。）６を有する。二次転写ベルト３１は、二次転写ローラ３２、駆動ローラ３３及び従動ローラ３４に張架され、所定の循環経路に沿って移動する。二次転写ローラ３２は、中間転写ベルト２１及び二次転写ベルト３１を挟んで駆動ローラ２２に対向するように配置されている。二次転写ユニット３は、中間転写ベルト２１の表面のトナー像を、中間転写ベルト２１と二次転写ベルト３１との間の二次転写位置に搬送された用紙へ二次転写する。清掃部材３５は、一端部が二次転写ベルト３１の表面に当接するように配設されている。
【００２３】
二次転写後の中間転写ベルト２１の表面に残留したトナーや付着した紙粉を含む付着物は、清掃部材２４によって除去される。除去された付着物は、廃トナー副搬送路２５、及び廃トナー主搬送路５１を経て廃トナーボックス５へ排出される。廃トナーボックス５は、排出された付着物を貯留する。
【００２４】
二次転写後の二次転写ベルト３１の表面に付着した付着物は、清掃部材３５によって除去される。除去された付着物は、廃トナー副搬送路６、及び廃トナー主搬送路５１を経て廃トナーボックス５へ排出される。
【００２５】
定着部４は、トナー像が転写された用紙を加熱及び加圧して、用紙に転写されたトナー像を用紙の表面に堅牢に定着させる。
【００２６】
用紙搬送路Ｓは、図示しない給紙カセットから二次転写位置及び定着部４を経由して図示しない排紙トレイに至る間に形成されている。
【００２７】
図２に示すように、二次転写ユニット３は、垂直方向の上から下に向かって駆動ローラ３３、二次転写ローラ３２、従動ローラ３４の順に位置するように、駆動ローラ３３、二次転写ローラ３２、及び従動ローラ３４を配置している。二次転写ローラ３２、駆動ローラ３３及び従動ローラ３４は、それぞれ回転軸の両端部が軸受け（不図示）を介して保持部材７１，７２に保持されている。保持部材７１，７２は、それぞれ駆動ローラ３３を保持する側の端部が、不図示の弾性部材を備える支持部材７３，７４を介して浮動状態で扉８（図４参照）に取り付けられている。
【００２８】
以上より、支持部材７３，７４によって扉８に浮動状態で二次転写ユニット３を支持するため、装置本体への扉８の取り付け誤差を吸収することができ、二次転写ユニット３を正確に位置決めすることができる。また、設置箇所における振動や騒音等の影響を受けて扉８が振動しても、扉８の振動の影響を受けることなく、二次転写ユニット３を正確に位置決めすることができる。
【００２９】
また、廃トナー副搬送路６は、第１廃トナー副搬送路（この発明の第１廃トナー搬送路に相当する。）６１、第２廃トナー副搬送路（この発明の第２廃トナー搬送路に相当する。）６２、及び排出口６３を備え、二次転写ベルト３１の表面から除去された付着物が所定の搬送方向Ｘに沿って搬送される。
【００３０】
第１廃トナー副搬送路６１は、円筒形状であり、長手方向を二次転写ローラ３２の軸方向に一致させて、且つ二次転写ベルト３１の表面に沿って対向して固定して配設されている。第１廃トナー副搬送路６１は、二次転写ベルト３１の垂直方向の下側に配設されており、清掃部材３５によって二次転写ベルト３１の表面から除去された付着物を受け入れる受け入れ口（不図示）を垂直方向の上面に有する。第１廃トナー副搬送路６１は、搬送方向Ｘにおける下流側の端部に第２廃トナー副搬送路６２の上流側の端部が接続される。
【００３１】
第２廃トナー副搬送路６２は、可撓性を有する円筒形状であり、変形自在である。第２廃トナー副搬送路６２は、搬送方向Ｘの下流側の端部に排出口６３を備える。排出口６３は、垂直方向の下向きに開口しており、廃トナー主搬送路５１に接続されている。
【００３２】
図３に示すように、廃トナー副搬送路６の内部には、螺旋状の搬送部材６４が二次転写ローラ３２の軸方向に平行な回転軸まわりに回転自在に配設されている。螺旋状の搬送部材６４は、回転により廃トナー副搬送路６の内周面の一部に接触する部材であり、回転することで付着物を搬送方向Ｘに沿って搬送する。螺旋状の搬送部材６４には、不図示のモータから回転が供給される。
【００３３】
螺旋状の搬送部材６４は、第１搬送部材６５、及び搬送方向Ｘにおける上流側の端部が第１搬送部材６５の下流側の端部に接続された第２搬送部材６６から構成される。第１搬送部材６５は、回転軸６５１と回転軸６５１の周囲に設けられた螺旋羽６５２とを有するスクリューであり、第１廃トナー副搬送路６１の内部に配設される。第１搬送部材６５は、常に軸線方向が二次転写ローラ３２の軸方向に平行な状態を維持する。第２搬送部材６６は、変形自在な螺旋状の線材であり、第２廃トナー副搬送路６２の内部に配設されている。
【００３４】
第２廃トナー副搬送路６２を屈曲させると、第２搬送部材６６は、内周面の一部に接触した状態を維持するように屈曲する。すなわち、第２搬送部材６６は、第２廃トナー副搬送路６２の変形に応じて、変形自在である。この時、第１廃トナー副搬送路６１及び第１搬送部材６５は、軸線方向が二次転写ローラ３２の軸方向に平行な状態を維持したままで、変形しない。
【００３５】
ここで、図４（Ａ）に示すように、扉８の閉鎖した状態で、二次転写ユニット３は、中間転写ベルト２１に二次転写ベルト３１が当接する当接位置（この発明の第１位置に相当する。）に位置する。図４（Ｂ）に示すように，扉８の開放した状態で、二次転写ユニット３は、中間転写ベルト２１から二次転写ベルト３１が離間する離間位置（この発明の第２位置に相当する。）に位置する。
【００３６】
二次転写ユニット３は、扉８を閉鎖すると離間位置から当接位置に移動し、扉８を開放すると当接位置から離間位置に移動する。この時、二次転写ユニット３内の廃トナー副搬送路６は、搬送方向Ｘにおいて、第２廃トナー副搬送路６２の上流側の端部の位置が移動しても第２廃トナー副搬送路６２の下流側の端部に設けられた排出口６３の位置が移動しないように第２廃トナー副搬送路６２を変形させる。
【００３７】
以上のように、扉８の開閉に応じて二次転写ユニット３を離間位置と当接位置との間で移動させても、二次転写ユニット３内の廃トナー副搬送路６は、第２廃トナー副搬送路６２を変形させることで、排出口６３が廃トナー主搬送路５１の接続箇所から外れることがない。これにより、付着物を漏れなく廃トナーボックス５へ排出することができる。
【００３８】
さらに、第２廃トナー副搬送路６２の変形に伴って第２搬送部材６６が変形するため、螺旋状の搬送部材６４は、全域で廃トナー副搬送路６の内周面の一部に接触した状態を維持することができ、付着物を滞留させることなく廃トナーボックス５へ搬送することができる。
【００３９】
第２の実施形態に係る廃トナー副搬送路６Ａについて図５を参照して説明する。廃トナー副搬送路６Ａは、内部に螺旋状の搬送部材６４Ａを配設する点で、第１の実施形態に係る廃トナー副搬送路６と相違する。以下、第１の実施形態との相違点のみを記載する。
【００４０】
図５に示すように、廃トナー副搬送路６の内部には、螺旋状の搬送部材６４Ａが二次転写ローラ３２の軸方向に平行な回転軸まわりに回転自在に配設されている。螺旋状の搬送部材６４Ａは、回転により廃トナー副搬送路の内周面の一部に接触する部材であり、回転することで付着物を搬送方向Ｘに沿って搬送する。螺旋状の搬送部材６４Ａには、不図示のモータから回転が供給される。
【００４１】
螺旋状の搬送部材６４Ａは、第１搬送部材６７、及び搬送方向Ｘにおける上流側の端部が第１搬送部材６７の下流側の端部に接続された第２搬送部材６６から構成される。第１搬送部材６７は、棒状の軸体６７１と軸体６７１の周囲に配置された螺旋状の線材６７２とを有し、第１廃トナー副搬送路６１の内部で垂直方向の上方から両端部が支持部材６０によって支持される。棒状の軸体６７１は、常に軸線方向が二次転写ローラ３２の軸方向に平行な状態を維持し、螺旋状の線材６７２の内部を貫通するように構成されている。螺旋状の線材６７２は、第２搬送部材６６と一体形成されている。
【００４２】
以上より、第１搬送部材６７は、第２搬送部材６６が屈曲しても、軸体６７１の軸線方向が二次転写ローラ３２の軸方向に平行な状態を維持するため、螺旋状の線材６７２がほぼ変形せず、常に第１廃トナー副搬送路６１の内周面の一部に接触することができる。
【００４３】
なお、第１搬送部材６７は、軸体６７１を有さずに剛性の螺旋状の線材６７２のみを有してもよい。これにより、第１搬送部材６７は、第２搬送部材６６が屈曲しても、螺旋状の線材６７２が変形しないため、第１廃トナー副搬送路６１の内周面の一部に接触することができる。
【００４４】
第３の実施形態に係る廃トナー副搬送路６Ｂについて図６を参照して説明する。廃トナー副搬送路６Ｂは、第３廃トナー副搬送路６８を有する点で第１の実施形態に係る廃トナー副搬送路６と相違する。以下、第１の実施形態との相違点のみを記載する。
【００４５】
図６に示すように、廃トナー副搬送路６Ｂは、第１廃トナー副搬送路６１、第２廃トナー副搬送路６２、第３廃トナー副搬送路６８及び排出口６３を備える。
【００４６】
第３廃トナー副搬送路６８は、搬送方向Ｘにおける上流側の端部に第２廃トナー副搬送路６２の下流側の端部が接続され、下流側の端部に排出口６３を備える。第３廃トナー副搬送路６８は、円筒形状であり、常に長手方向を直線上に維持している。
【００４７】
廃トナー副搬送路６Ｂの内部には、螺旋状の搬送部材６４Ｂが二次転写ローラ３２の軸方向に平行な回転軸まわりに回転自在に配設されている。螺旋状の搬送部材６４Ｂは、回転により廃トナー副搬送路の内周面の一部に接触する部材であり、回転することで付着物を搬送方向Ｘに沿って搬送する。螺旋状の搬送部材６４Ｂには、不図示のモータから回転が供給される。
【００４８】
螺旋状の搬送部材６４Ｂは、第１搬送部材６５、搬送方向Ｘにおける上流側の端部が第１搬送部材６５の下流側の端部に接続された第２搬送部材６６、及び搬送方向Ｘにおける上流側の端部が第２搬送部材６６の下流側の端部に接続された第３搬送部材６９から構成される。
【００４９】
第３搬送部材６９は、回転軸６９１と回転軸６９１の周囲に設けられた螺旋羽６９２とを有するスクリューであり、第３廃トナー副搬送路６８の内部に配設される。第３搬送部材６９は、常に軸線方向が第３廃トナー副搬送路の長手方向に平行な状態を維持する。
【００５０】
以上より、扉８の開閉に応じて二次転写ユニット３を離間位置と当接位置との間を移動させても、二次転写ユニット３内の廃トナー副搬送路６Ｂは、搬送方向Ｘにおいて、第２廃トナー副搬送路６２の上流側の端部の位置が移動しても第２廃トナー副搬送路６２の下流側の端部の位置が移動しないように第２廃トナー副搬送路６２を変形させる。これにより、排出口６３を廃トナー主搬送路５１の接続箇所から外れることがなく、付着物を漏れなく廃トナーボックス５へ排出することができる。
【００５１】
なお、上述の実施形態１〜３では、例えば、第１廃トナー副搬送路６１内に第１搬送部材６５のみを配設し、第２廃トナー副搬送路６２内に第２搬送部材６６のみを配設した。しかし、第２廃トナー副搬送路６２の変形時に搬送部材６４が廃トナー副搬送路６の内周面の一部に常に当接するように、第１廃トナー副搬送路６１内に第１搬送部材６５と第２搬送部材６６の搬送方向Ｘの上流側の一端部とを配設するようにしてもよく、第２廃トナー副搬送路６２内に第１搬送部材６５の搬送方向Ｘの下流側の一端部と第２搬送部材６６とを配設するようにしてもよい。
【００５２】
また、上述の実施形態では、中間転写ベルト２１の表面及び二次転写ベルト３１の表面の付着物は、廃トナー主搬送路５１を経て間接的に廃トナーボックス５に排出されるが、直接的に廃トナーボックス５に排出されてもよい。
【００５３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５４】
３…二次転写ユニット
６…廃トナー副搬送路
６Ａ，６Ｂ…廃トナー副搬送路
３５…清掃部材
６１…第１廃トナー副搬送路
６２…第２廃トナー副搬送路
６４，６４Ａ，６４Ｂ…搬送部材
６５，６７…第１搬送部材
６６…第２搬送部材
６８…第３廃トナー副搬送路
６９…第３搬送部材
【図３】
2013148688.tif 000003
【図４】
2013148688.tif 000004
【図５】
2013148688.tif 000005
【図６】
2013148688.tif 000006
【図１】
2013148688.tif 000007
【図２】
2013148688.tif 000008